(57)【要約】【課題】取付位置の調整が可能で、取り付ける部材の板厚に関係なく締結可能なエアコン用置き台を提供する。【解決手段】エアコン用置き台は、支柱３と支柱３に組み付け固定される横フレーム５、縦フレーム６、継手部材７からなる水平部材２を備える。支柱３は中空形状とされ、支柱３と水平部材２とを固定する固定手段は、支柱３内に配置される六角ナット２６と、支柱３内で高さ方向に移動可能とされると共に六角ナット２６を位置決め状態で保持するホルダ体２４と、継手部材７の継手基部７ａと支柱３の内向き固定面１１ｅとを挿通して六角ナット２６に締結される六角穴付ボルトとを備える。六角ナット２６に対する六角穴付ボルトの締結により組み付け固定される。【選択図】図４
2005299733.tif 000002
【特許請求の範囲】
【請求項１】
支柱（３）と、該支柱（３）に組み付け固定される水平部材（２）とを備えた組み立て式台において、
前記支柱（３）は中空形状とされ、
前記支柱（３）と前記水平部材（２）とを固定する固定手段は、支柱（３）内に配置される被締結部材（２６）と、支柱（３）内で高さ方向に移動可能とされると共に被締結部材（２６）を位置決め状態で保持するホルダ体（２４）と、水平部材（２）と支柱（３）とを挿通して前記被締結部材（２６）に締結される締結部材（２２）とを備え、
前記被締結部材（２６）に対する前記締結部材（２２）の締結により前記組み付け固定されることを特徴とする組み立て式台。
【請求項２】
請求項１に記載の組み立て式台において、
前記締結部材（２２）がボルト体とされると共に前記被締結部材（２６）がナット体とされ、前記ホルダ体（２４）に前記ナット体が回り止め状態で保持され、
前記支柱（３）に、前記ホルダ体（２４）を支柱（３）の高さ方向に沿ってスライド自在に保持するホルダスライド部（１１ｇ）が備えられていることを特徴とする組み立て式台。
【請求項３】
請求項１に記載の組み立て式台において、
前記締結部材（２２）がボルト体とされると共に前記被締結部材（２６）がナット体とされ、前記ホルダ体（２４）に前記ナット体が回り止め状態で保持され、
前記支柱（３）に高さ方向に沿って複数の位置決め孔（１１ｈ）が形成され、
前記ホルダ体（２４）に前記複数の位置決め孔（１１ｈ）に選択的に嵌脱自在に嵌合される位置決め突部（２４ｅ）が設けられると共に、該位置決め突部（２４ｅ）が前記ホルダ体（２４）のたわみ変形可能な可撓部（２４ｂ）に設けられ、前記位置決め孔（１１ｈ）より離脱可能とされていることを特徴とする組み立て式台。
【発明の詳細な説明】
【技術分野】
【０００１】
本発明は、エアコンの室外機を載置状に支持するためのエアコン用置き台等の組み立て式台に関する。
【背景技術】
【０００２】
例えば、組み立て式台として、中空形状とされた支柱に横フレームや縦フレームを組み付ける場合、支柱の所望位置にポップナットによりカシメ取り付けされたナット体を設け、このナット体を利用して、横フレームや縦フレームをそれぞれボルト締結することにより組み付け固定する構造のものがある。
【０００３】
なお、組み立て式台の一例としてのエアコン用置き台に関連する先行技術としては、例えば特許文献１に記載のものがある。
【０００４】
【特許文献１】実開平７−３５９２３号公報
【発明の開示】
【発明が解決しようとする課題】
【０００５】
しかしながら、ポップナットを利用した構造によれば、専用工具でカシメて取り付ける構造であり、専用工具が必要とされると共に、取り付け後、ナット体位置の変更ができないという欠点があった。
【０００６】
従って、横フレームや縦フレームの取付位置を調整可能な構造とする場合、調整位置に対応してすべての位置にナット体を取り付ける必要があった。
【０００７】
また、カシメ方式でナットを位置固定するため、ナット体の空回り防止の観点から取り付ける部材の硬さ（材質）、厚みに制限があるという問題もあった。
【０００８】
そこで、本発明の解決しようとする課題は、取付位置の調整が可能で、取り付ける部材の板厚に関係なく締結可能な組み立て式台を提供することにある。
【課題を解決するための手段】
【０００９】
上記課題を解決するための技術的手段は、支柱と、該支柱に組み付け固定される水平部材とを備えた組み立て式台において、前記支柱は中空形状とされ、前記支柱と前記水平部材とを固定する固定手段は、支柱内に配置される被締結部材と、支柱内で高さ方向に移動可能とされると共に被締結部材を位置決め状態で保持するホルダ体と、水平部材と支柱とを挿通して前記被締結部材に締結される締結部材とを備え、前記被締結部材に対する前記締結部材の締結により前記組み付け固定される点にある。
【００１０】
また、前記締結部材がボルト体とされると共に前記被締結部材がナット体とされ、前記ホルダ体に前記ナット体が回り止め状態で保持され、前記支柱に、前記ホルダ体を支柱の高さ方向に沿ってスライド自在に保持するホルダスライド部が備えられている構造としてもよい。
【００１１】
さらに、前記締結部材がボルト体とされると共に前記被締結部材がナット体とされ、前記ホルダ体に前記ナット体が回り止め状態で保持され、前記支柱に高さ方向に沿って複数の位置決め孔が形成され、前記ホルダ体に前記複数の位置決め孔に選択的に嵌脱自在に嵌合される位置決め突部が設けられると共に、該位置決め突部が前記ホルダ体のたわみ変形可能な可撓部に設けられ、前記位置決め孔より離脱可能とされている構造としてもよい。
【発明の効果】
【００１２】
請求項１に記載の組み立て式台によれば、支柱と、該支柱に組み付け固定される水平部材とを備えた組み立て式台において、支柱は中空形状とされ、支柱と水平部材とを固定する固定手段は、支柱内に配置される被締結部材と、支柱内で高さ方向に移動可能とされると共に被締結部材を位置決め状態で保持するホルダ体と、水平部材と支柱とを挿通して被締結部材に締結される締結部材とを備え、被締結部材に対する締結部材の締結により組み付け固定される構造とされているため、ホルダ体を支柱内で移動させて被締結部材を高さ調整し、位置決め状態で保持された被締結部材に締結部材を締結すればよく、取付位置の調整が可能で、取付位置毎に被締結部材を設ける必要もなく、従来のようなカシメ方式でないため、取り付ける部材の板厚に関係なく締結できる。
【００１３】
また、請求項２に記載の組み立て式台によれば、請求項１に記載の組み立て式台において、締結部材がボルト体とされると共に被締結部材がナット体とされ、ホルダ体にナット体が回り止め状態で保持され、支柱に、ホルダ体を支柱の高さ方向に沿ってスライド自在に保持するホルダスライド部が備えられている構造とされているため、ホルダ体をホルダスライド部に沿ってスライドさせることにより高さ調整を行うことができ、高さ調整が容易で、組み付け固定の作業時等における作業性に優れる利点がある。
【００１４】
さらに、請求項３に記載の組み立て式台によれば、請求項２に記載の組み立て式台において、締結部材がボルト体とされると共に被締結部材がナット体とされ、ホルダ体にナット体が回り止め状態で保持され、支柱に高さ方向に沿って複数の位置決め孔が形成され、ホルダ体に複数の位置決め孔に選択的に嵌脱自在に嵌合される位置決め突部が設けられると共に、該位置決め突部がホルダ体のたわみ変形可能な可撓部に設けられ、位置決め孔より離脱可能とされている構造とされているため、位置決め孔に嵌合されている位置決め突部を、可撓部のたわみ変形を利用して離脱させ、この離脱させた状態でホルダ体を高さ方向に移動させれば、所望の位置決め孔位置に位置決め突部が到達すると可撓部の弾性復帰により、位置決め突部が所望の位置決め孔に嵌合してホルダ体の移動が阻止され、ナット体が位置決め状態で保持された状態が得られる。ここに高さ調整を行うことができ、高さ調整が容易で、組み付け固定の作業時等における作業性に優れる利点がある。
【発明を実施するための最良の形態】
【００１５】
以下、本発明の実施形態を図面に基づいて説明すると、図１は組み立て式台の一例としてのエアコン用置き台１を示す斜視図であり、このエアコン用置き台１は、エアコン用の室外機を所定位置に載置支持するための台である。なお、本実施形態においては、比較的低い位置で室外機を載置支持する、いわゆる平置台とよばれるタイプのものを示している。
【００１６】
このエアコン用置き台１は、図２ないし図４にも示される如く、水平部材２と、この水平部材２を所定の高さ位置に保持する支柱部材としての４本の支柱３とを備えており、水平部材２は、フレーム５と縦フレーム６と継手部材７とを備え、一対の横フレーム５と一対の縦フレーム６とが継手部材７を介して略方形状に組み付けられた構造とされている。即ち、これら各横フレーム５および各縦フレーム６は、それぞれの端部で継手部材７を介して略Ｌ字状に連結された構造とされている。そして、この各継手部材７を介して各支柱３にそれぞれ固定されている。
【００１７】
また、一対の横フレーム５間にわたって、一対のベース部材としてのベースフレーム８が架け渡されており、各ベースフレーム８の両端部は、それぞれ横フレーム５にその長手方向に沿って移動自在に支持されると共に、その横フレーム５の長手方向における所望位置で固定可能に構成されている。
【００１８】
さらに、各ベースフレーム８には、室外機固定用のボルト等を備えた固定具９が、ベースフレーム８の長手方向に沿って形成されたスライド溝部８ａに沿ってスライド操作自在にそれぞれ配設されており、固定対象となる室外機のサイズに合わせて一対のベースフレーム８を各横フレーム５の長手方向に沿って移動させ、互いの間隔寸法を調整して固定し、この状態で、室外機を一対のベースフレーム８上に載置して、各固定具９を用いて室外機を固定する構造とされている。
【００１９】
そして、本実施形態においては、これら各支柱３、各横フレーム５、各縦フレーム６、各継手部材７および各ベースフレーム８は、例えば、アルミニウムやアルミニウム合金等を押出成形してなる押出型材から形成され、押出方向に沿って同一断面を有した構造とされている。
【００２０】
前記各支柱３は、中空形状とされた筒状支柱部材としての外側支柱１１と、この外側支柱１１内にスライド自在に挿入される中空形状とされた挿入支柱部材としての内側支柱１２と、これらの相対的なスライド移動を規制する固定部材としての例えば六角ボルトからなるボルト１３および六角ナットからなるナット１４とを備えている。
【００２１】
即ち、外側支柱１１は、図２や図４に示されるように、略方形筒断面形状に形成され、各支柱３と各横フレーム５および各縦フレーム６とが組み付けられた組み立て体１５の形態において、外側支柱１１の外面となる２側面１１ａで構成されるコーナー部分は、略弧状の曲面１１ｂに形成されている。
【００２２】
また、外側支柱１１の前記外面を避けた内向きとなる他の２側面１１ｃ、即ち、横フレーム５および縦フレーム６の長手方向にそれぞれ対向する各内向きの側面１１ｃには、外側支柱１１の長手方向、即ち高さ方向に沿って延びる継手用溝部１１ｄがそれぞれ形成されている。そして、本実施形態においては、各継手用溝部１１ｄは、幅狭の開口部の奥側に幅広の収容凹部が広がる平面視で略Ｔ字状の内部空間を有した構造とされている。
【００２３】
さらに、各内向きの側面１１ｃで構成されるコーナー部分は、いわゆる面取り状の平坦面とされた斜めの内向き固定面１１ｅとされ、この内向き固定面１１ｅの下端部近傍に前記ボルト１３が挿通されるボルト挿通孔１１ｆが形成されている。
【００２４】
前記内側支柱１２は、前記外側支柱１１の内周面形状に対応する外周面形状を有する略方形筒断面形状に形成され、外側支柱１１の下端部内にスライド自在に挿入されるいわゆる入れ子構造とされている。
【００２５】
また、外側支柱１１の各継手用溝部１１ｄに対応する内側支柱１２の各内向き側面１２ａの内部面側には、断面略Ｃ字状のネジ止部１２ｂがそれぞれ内側支柱１２の高さ方向に沿って形成されている。そして、内側支柱１２の下端面に当接状に配設される脚部１７を、それに形成された各ネジ挿通孔１７ａを適宜選択して、ネジ１８を挿通させると共にネジ止部１２ｂの下端部に螺合締結させることで、各内側支柱１２の下端部に脚部１７がそれぞれ所望の向きで取付固定される構造とされている。
【００２６】
さらに、外側支柱１１の内向き固定面１１ｅに対応する内側支柱１２の部分には、前記ナット１４を相対回動不能な回り止め状態で高さ方向にスライド自在に保持すると共に、前記ボルト１３の軸部が挿通可能な溝幅を有するナットスライド溝部１２ｃが内側支柱１２の高さ方向に沿って形成されている。
【００２７】
そして、外側支柱１１のボルト挿通孔１１ｆにボルト１３の軸部を挿入して、内向き固定面１１ｅの内面側に突出するボルト１３の軸部にナット１４を緩く螺合させて保持させ、ナット１４を所定の向きとして内側支柱１２を外側支柱１１の下端側から挿入する。この際、ナット１４がナットスライド溝部１２ｃ内に上方より嵌り込むようにする。
【００２８】
そして、外側支柱１１に対する内側支柱１２の突出長さが所望の状態となった状態で、ボルト１３を螺合締結すれば、内向き固定面１１ｅの内面に内側支柱１２のナットスライド溝部１２ｃが引き寄せられて挟持され、外側支柱１１に対して内側支柱１２が固定される。また、ボルト１３の締結を緩めれば、外側支柱１１と内側支柱１２とが再びスライド操作自在な状態が得られる。
【００２９】
前記各横フレーム５は、図２ないし図４に示される如く、中空形状とされた略方形筒断面形状に形成され、その上面の幅方向中央部には、前記ベースフレーム８の両端部における幅方向中央部の底面８ｂに突出状に形成されたボス部８ｃがスライド自在に支持される水平スライド溝部としてのガイド溝部５ａが横フレーム５の長手方向に沿って形成されている。
【００３０】
また、ガイド溝部５ａは、ベースフレーム８を固定するためのタッピンネジ２０が、ボス部８ｃを通じて螺合締結可能な深溝状に形成されると共に、ガイド溝部５ａの下面側には横フレーム５内部を内外に仕切る仕切壁部５ｂが横フレーム５の長手方向に沿って形成されている。
【００３１】
さらに、横フレーム５の上面における外側縁部には、立ち上がり壁部５ｃが横フレーム５の長手方向に沿って形成されており、ベースフレーム８の長手方向端部を覆うと共にベースフレーム８の横フレーム５の長手方向に沿った移動操作に際してのガイド機能を発揮する構造とされている。
【００３２】
前記縦フレーム６は、図１、図２および図４に示される如く、中空形状とされた略方形筒断面形状に形成され、いわゆる横フレーム５におけるガイド溝部５ａおよび仕切壁部５ｂを有していない構造とされ、横フレーム５の対応する部分と略同じ大きさに構成されている。
【００３３】
前記継手部材７は、図２および図４に示される如く、外側支柱１１の内向き固定面１１ｅおよびその両側の各内向きの側面１１ｃにまたがって当接される屈曲板状の継手基部７ａを備え、継手基部７ａの各側面１１ｃに当接される面側には、各側面１１ｃに形成された略Ｔ字状の各継手用溝部１１ｄに高さ方向に沿って相対摺動自在に嵌合される平面視略Ｔ字状の継手部７ｂがそれぞれ備えられている。
【００３４】
また、継手基部７ａの横フレーム５の端部に対向する面側には、横フレーム５内に嵌合状に挿入される継手挿入部７ｃが備えられると共に、この継手挿入部７ｃは横フレーム５のガイド溝部５ａを避けてその両側に挿入される二分割構造とされている。
【００３５】
さらに、組み立て体１５の形態において内側に位置される継手挿入部７ｃの挿入端部には、たわみ変形可能な鉤状の係合部７ｄが備えられ、挿入状態の継手挿入部７ｃにおける係合部７ｄ位置に対応する横フレーム５の内側面には、横フレーム５の内部突出状に切り起こし形成された被係合部としての係止片部５ｄが例えば上下方向に離隔して２個所形成されている。
【００３６】
そして、横フレーム５の端部に継手部材７の継手挿入部７ｃが挿入された際、たわみ変形により係止片部５ｄ位置を通過して復帰し、係止片部５ｄに係合部７ｄが抜止め係止される構造とされている。
【００３７】
また、継手基部７ａの縦フレーム６の端部に対向する面側には、縦フレーム６内に嵌合状に挿入される継手挿入部７ｅが備えられると共に、この継手挿入部７ｅは横フレーム５に挿入される継手挿入部７ｃと同様に、縦フレーム６の両側に振り分け状に挿入される二分割構造とされている。
【００３８】
さらにまた、継手挿入部７ｃと同様、組み立て体１５の形態において内側に位置される継手挿入部７ｅの挿入端部には、たわみ変形可能な鉤状の係合部７ｆが備えられ、挿入状態の継手挿入部７ｅにおける係合部７ｆ位置に対応する縦フレーム６の内側面には、縦フレーム６の内部突出状に切り起こし形成された被係合部としての係止片部６ａが例えば上下方向に離隔して２個所形成されている。
【００３９】
そして、縦フレーム６の端部に継手部材７の継手挿入部７ｅが挿入された際、たわみ変形により係止片部６ａ位置を通過して復帰し、係止片部６ａに係合部７ｆが抜止め係止される構造とされている。
【００４０】
また、継手基部７ａにおける内向き固定面１１ｅに対応する部分には、固定手段における締結部材を構成する固定用のボルト体としての六角穴付ボルト２２の軸部が挿通されるボルト挿通孔７ｇが形成されている。
【００４１】
一方、図２および図４に示される如く、前記外側支柱１１における各内向きの側面１１ｃで構成されるコーナー部分の内部側には、各側面１１ｃ、内向き固定面１１ｅおよび各継手用溝部１１ｄで構成される高さ方向に沿ったホルダスライド部としてのホルダガイド溝部１１ｇが備えられており、このホルダガイド溝部１１ｇに沿って高さ方向にスライド操作自在に保持されるホルダ体２４が装着されている。
【００４２】
このホルダ体２４は、可撓性を有した樹脂成形体よりなり、図５ないし図８にも示される如く、平面視でホルダガイド溝部１１ｇに対応した形状で高さ方向に所定の長さを有するホルダ本体部２４ａと、該ホルダ本体部２４ａの上面における内向き固定面１１ｅ側に上方突出状に形成された薄肉板状の弾性片部２４ｂとを備えた構造とされている。ここに、弾性片部２４ｂはたわみ変形可能な可撓部を構成している。
【００４３】
そして、ホルダ本体部２４ａには、内向き固定面１１ｅに対応する側に固定手段における被締結部材を構成するナット体としての六角ナット２６が、回り止め状態で嵌合される嵌合凹部２４ｃが形成されると共に、嵌合凹部２４ｃの底部には、嵌合凹部２４ｃに嵌合された六角ナット２６に螺合される六角穴付ボルト２２の軸部が挿通されるボルト挿通孔２４ｄが形成されている。
【００４４】
また、弾性片部２４ｂの上部には、その幅方向中央部で内向き固定面１１ｅに対応する面側に位置決め突部としての円形のボス部２４ｅが突出形成されている。
【００４５】
そして、内向き固定面１１ｅには、ホルダ体２４のボス部２４ｅが嵌脱自在に嵌合される位置決め孔としてのボス嵌合孔１１ｈが、高さ方向に離隔して複数形成されると共に、ホルダ体２４のボス部２４ｅが各ボス嵌合孔１１ｈに嵌合された状態で、嵌合凹部２４ｃに嵌合された六角ナット２６の雌ネジ孔位置に対応するボルト挿通孔１１ｋが、内向き固定面１１ｅに高さ方向に離隔して複数形成されている。
【００４６】
そして、外側支柱１１のホルダガイド溝部１１ｇに、六角ナット２６が嵌合されたホルダ体２４を上方より挿入して弾性片部２４ｂの弾性変形下、押し込んでいけば、内向き固定面１１ｅのボス嵌合孔１１ｈ位置にボス部２４ｅが到達した際、弾性片部２４ｂの弾性復帰によりボス部２４ｅがボス嵌合孔１１ｈに嵌合して位置決め停止される。この状態において、六角ナット２６の雌ネジ孔とボルト挿通孔１１ｋが対応する。
【００４７】
また、ホルダ体２４の高さ位置を変更する場合には、弾性片部２４ｂの弾性に抗してボス部２４ｅを押し込み、ボス嵌合孔１１ｈからボス部２４ｅを離脱させ、この状態でホルダ体２４をホルダガイド溝部１１ｇの高さ方向に沿って棒状等の適宜工具等によりスライド操作すればよい。そして、所望のボス嵌合孔１１ｈにボス部２４ｅを嵌合させれば、所望の高さにホルダ体２４を保持できる。
【００４８】
さらに、継手部材７を介して互いに連結された横フレーム５と縦フレーム６との枠組み体を外側支柱１１に組み付け固定するには、継手部材７の各継手部７ｂを外側支柱１１の各継手用溝部１１ｄに上方より嵌合させた後、外側支柱１１の高さ方向に沿ってスライドさせ、ホルダ体２４で保持された六角ナット２６位置に対応するボルト挿通孔１１ｋ位置に、継手部材７のボルト挿通孔７ｇが合致した状態で、六角穴付ボルト２２の軸部を各ボルト挿通孔７ｇ、１１ｋを介して六角ナット２６に螺合させ、締結すれば組み付け固定できる。
【００４９】
また、本実施形態においては、図１に示されるように、各外側支柱１１の上端部に嵌脱自在に嵌合される樹脂成形体等からなる化粧キャップ２８が装着されている。
【００５０】
本実施形態は以上のように構成されており、外側支柱１１のホルダガイド溝部１１ｇに沿って高さ方向にスライド操作自在とされたホルダ体２４を所望の位置に保持させ、横フレーム５と縦フレーム６とを連結する継手部材７の各継手部７ｂを、外側支柱１１の各継手用溝部１１ｄに嵌合して高さ方向に沿ってスライドさせて位置合わせし、ホルダ体２４に嵌合保持された六角ナット２６に継手部材７のボルト挿通孔７ｇ等を介して六角穴付ボルト２２を螺合締結すれば、外側支柱１１に横フレーム５および縦フレーム６を組み付け固定できる。
【００５１】
従って、中空形状の外側支柱１１であっても、ホルダ体２４の高さ位置を調整することによって、横フレーム５、縦フレーム６および継手部材７によって構成される水平部材２の固定位置を、支柱３の高さ方向に調整でき、支持されるエアコンの室外機の大きさや設置場所の環境等に応じて適宜変更でき、汎用性の向上が図れる。
【００５２】
また、ホルダ体２４の高さ調整に際しては、ボス嵌合孔１１ｈに嵌合されているボス部２４ｅを弾性片部２４ｂの弾性に抗して押し込んむことにより離脱させ、この離脱させた状態でホルダ体２４をホルダガイド溝部１１ｇに沿って高さ方向にスライドさせた後、所望の高さのボス嵌合孔１１ｈにボス部２４ｅを嵌合させればよい。この際、所望の高さのボス嵌合孔１１ｈ位置にボス部２４ｅが到達すると弾性片部２４ｂの弾性復帰により嵌合してホルダ体２４の移動が阻止され、六角ナット２６が位置決め状態で保持された状態となり、組み付け位置の高さ調整が容易に行え、組み付け固定の作業時等における作業性に優れる利点がある。
【００５３】
さらに、六角ナット２６を保持するホルダ体２４が高さ調整自在とされているため、取付位置毎に六角ナット２６を設ける必要がない。しかも、従来のようなカシメ方式でなく、六角穴付ボルト２２と六角ナット２６との締結により、内向き固定面１１ｅと継手基部７ａとを挟持状に挟み込んで固定する方式であり、取り付ける部材の板厚や材質（硬さ）に関係なく締結することができる。
【００５４】
また、継手部材７の各継手部７ｂが外側支柱１１の各継手用溝部１１ｄにそれぞれ嵌合されて高さ方向に沿って摺動自在にスライドする構造であり、相互間のねじれが有効に防止でき、単一の六角穴付ボルト２２と六角ナット２６とによる固定であってもガタツキなく良好に固定でき、互いに組み付けられた組み立て体１５における全体としてのねじれも有効に防止できる。
【００５５】
さらに、各支柱３、各横フレーム５および各縦フレーム６がそれぞれ中空形状とされた押出型材からなる構造とされているため、剛性向上が図れ、強度的に優れる利点がある。
【００５６】
また、各支柱３、各横フレーム５、各縦フレーム６、各継手部材７および各ベースフレーム８を、アルミニウムやアルミニウム合金等の押出型材からなる構造とされており、継手用溝部１１ｄや継手部７ｂ等を有する複雑な形状であっても容易に製造できる利点がある。
【００５７】
なお、上記では、横フレーム５と縦フレーム６とを継手部材７で連結した状態で、外側支柱１１に組み付けているが、先に、外側支柱１１に継手部材７を固定し、外側支柱１１に固定された継手部材７の各継手挿入部７ｃ、７ｅに横フレーム５や縦フレーム６を後から連結してもよい。
【００５８】
また、上記実施形態においては、外側支柱１１におけるホルダガイド溝部１１ｇに沿ってスライド操作自在な可撓性を有する樹脂成形体よりなるホルダ体２４に、六角ナット２６が回り止め状態で嵌合されて保持される構造を示しているが、ホルダガイド溝部１１ｇに沿ってスライド操作自在なホルダ体２４のホルダ本体部２４ａを板金等で形成し、このホルダ本体部２４ａに雌ネジ加工を施すことによりナット体を一体に形成した保持構造や、六角ナット２６を溶接により固定した保持構造としてもよい。
【００５９】
そして、このホルダ本体部２４ａにボス嵌合孔１１ｈに嵌脱自在なボス部２４ｅが設けられたバネ機能を有する弾性片部２４ｂを設けた構造としてもよい。
【００６０】
この場合も同様の方法で高さ調整が行える。
【００６１】
また、上記実施形態では、比較的低い位置で室外機を載置支持する、いわゆる平置台とよばれるタイプに適用した例について説明したが、その他、種々のエアコン用置き台１に適用できる。例えば、より高い位置で室外機を載置支持する、いわゆる高置台と呼ばれるタイプや、また、図９に示すエアコン用置き台１のように、横フレーム５、縦フレーム６、ベースフレーム８等を上下二段に備え、それぞれのベースフレーム８に室外機を載置支持する、いわゆる二段置台と呼ばれるタイプのものについても適用できる。さらには、エアコン用置き台１に限らず、その他の組み立て式台であってもよい。
【００６２】
さらに、横フレーム５、縦フレーム６、継手部材７、外側支柱１１、内側支柱１２の断面形状も適宜設定すればよく、実施形態の形状に何ら限定されない。
【図面の簡単な説明】
【００６３】
【図１】本発明の実施形態にかかるエアコン用置き台の斜視図である。
【図２】支柱との連結部分の断面平面図である。
【図３】横フレームとベースフレームとの連結部分の断面側面図である。
【図４】要部分解斜視図である。
【図５】ホルダ体の側面図である。
【図６】図５におけるホルダ体の平面図である。
【図７】図５におけるホルダ体の左側面図である。
【図８】図５におけるホルダ体の右側面図である。
【図９】変形例を示すエアコン用置き台の斜視図である。
【符号の説明】
【００６４】
１  エアコン用置き台
２  水平部材
３  支柱
５  横フレーム
６  縦フレーム
７  継手部材
８  ベースフレーム
９  固定具
１１  外側支柱
１１ｇ  ホルダガイド溝部
１１ｈ  ボス嵌合孔
１１ｋ  ボルト挿通孔
２２  六角穴付ボルト
２４  ホルダ体
２４ａ  ホルダ本体部
２４ｂ  弾性片部
２４ｃ  嵌合凹部
２４ｅ  ボス部
２６  六角ナット
【図１】
2005299733.tif 000003
【図２】
2005299733.tif 000004
【図３】
2005299733.tif 000005
【図４】
2005299733.tif 000006
【図５】
2005299733.tif 000007
【図６】
2005299733.tif 000008
【図７】
2005299733.tif 000009
【図８】
2005299733.tif 000010
【図９】
2005299733.tif 000011